(57)【要約】【課題】撮影者の意図した色調を損なうことなく、画像補正処理を効率良く行う。【解決手段】デジタルカメラ１１は、撮影した画像データの色調をセピア、モノクロ、フルカラーの３種類の色調で記録する３つの色モードを備えており、これらの色モードは、色モード切替部材３０によって切り替えられる。選択された色モードに対応する色モード情報は、撮影画像データと共にメモリカード１３に記録される。ＰＣ１２には、画像補正処理プログラムがインストールされている。ＰＣ１２は、前記色モード情報に基づいて画像データの色調を識別し、その色調に応じた画像補正処理を施す。色調がフルカラーの場合には、明度、彩度、色相の３つの画像補正処理を全て実行される。他方、色調がセピアまたはモノクロの場合には、明度補正処理のみ実行される。【選択図】        図１
2004336386.tif 000002
【特許請求の範囲】
【請求項１】
撮影した画像データをセピア、モノクロ、フルカラーの３種類の色調でそれぞれ記録する３つの色モードを備え、これら色モードを選択的に切替える色モード選択手段を備えたデジタルカメラにおいて、
前記色モード選択手段によって選択された色モードを表す色モード情報を前記画像データと共に記録する色モード情報記録手段を備えたデジタルカメラ。
【請求項２】
画像データに対して、少なくとも色相補正、彩度補正、明度補正の３つの補正処理を含む画像補正処理を施す画像補正装置において、
前記画像データの色調が、セピア、モノクロ、フルカラーのいずれであるかを判定する色調判定手段と、
前記色調判定手段が、画像データの色調をフルカラーと判定した場合には、前記色相補正、彩度補正、明度補正の３つの画像補正処理を全て実行するとともに、他方、セピア又はモノクロと判定した場合には、前記３つの画像処理のうち、前記色相補正、彩度補正を禁止して、明度補正処理のみ実行する画像補正手段とを備えたことを特徴とする画像補正処理装置。
【請求項３】
画像データに対して、色相補正、彩度補正、明度補正の３つの補正処理を含む画像補正処理を施す画像補正方法において、
前記画像データの色調が、セピア、モノクロ、フルカラーのいずれであるかを判定し、
前記色調をフルカラーと判定した場合には、前記色相補正、彩度補正、明度補正の３つの画像補正処理を全て実行するとともに、他方、セピア又はモノクロと判定した場合には、前記３つの画像処理のうち、前記色相補正、彩度補正を禁止して、明度補正処理のみ実行することを特徴とする画像補正方法。
【発明の詳細な説明】
【０００１】
【発明の属する技術分野】
本発明は、セピア、モノクロ、フルカラの３つの色モードで画像データ記録するデジタルカメラ並びに、画像データに対して画像補正処理を施す画像補正装置及び方法に関するものである。
【０００２】
【従来の技術】
ＣＣＤイメージセンサなどで撮像した被写体画像の色調をフルカラーの他にセピア調で記録するデジタルカメラが知られている（例えば特許文献１）。デジタルカメラで記録された画像をプリントする際には、各種の画像補正処理が行われる。この画像補正処理には、例えば、明度補正、彩度補正、色相補正などが含まれる。明度、彩度、色相は色の３属性と呼ばれ、フルカラー画像の画質を決定する重要な要素となる。明度補正は、１つの画素を構成するＲＧＢの各色のカラーバランスを変えずに全体的に濃度値を増減させて補正するのに対して、彩度、色相の各補正では、ＲＧＢのカラーバランスが調節される。
【０００３】
画像処理の方法としては、例えば、特許文献２記載の処理方法のように、明度、彩度、色相の３つの補正処理を自動的に実行する方法がある。大量の画像をプリントする場合には、こうした自動化は非常に有効である。
【０００４】
【特許文献１】
特開２００２−１０２８２号公報
【特許文献２】
特開２０００−９２３１４号公報
【０００５】
【発明が解決しようとする課題】
しかしながら、上記特許文献２に記載の方法では、セピア、フルカラーの色調に関わりなく明度、彩度、色相の３つの補正処理を実行していた。上述したように、彩度補正、色相補正は、ＲＧＢのカラーバランスを変化させるため、これらの補正をセピア調の画像に対して施すとセピア色を変色させてしまう場合があり、撮影者の意図した色調が損なわれてしまう場合があった。この場合の解決手段として、自動補正を行わずに画像補正処理を全てマニュアルで指定して行う方法もあるが、大量の画像を処理する必要がある場合には、こうしたマニュアルよる指定は、作業効率を大幅に低下させる要因となる。
【０００６】
本発明は上記課題を解決するためのものであり、撮影者の意図した色調を損なうことなく、且つ効率的に画像補正処理を行うことができるデジタルカメラ並びに画像補正装置及び方法提供することを目的とする。
【０００７】
【課題を解決するための手段】
上記目的を達成するために、本発明では、撮影した画像データをセピア、モノクロ、フルカラーの３種類の色調でそれぞれ記録する３つの色モードを備え、これら色モードを選択的に切替える色モード選択手段を備えたデジタルカメラにおいて、前記色モード選択手段によって選択された色モードを表す色モード情報を前記画像データと共に記録する色モード情報記録手段を備えたことを特徴とするものである。
【０００８】
また、本発明では、画像データに対して、少なくとも色相補正、彩度補正、明度補正の３つの補正処理を含む画像補正処理を施す画像補正装置において、前記画像データの色調が、セピア、モノクロ、フルカラーのいずれであるかを判定する色調判定手段と、前記色調判定手段が、画像データの色調をフルカラーと判定した場合には、前記色相補正、彩度補正、明度補正の３つの画像補正処理を全て実行するとともに、他方、セピア又はモノクロと判定した場合には、前記３つの画像処理のうち、前記色相補正、彩度補正を禁止して、明度補正処理のみ実行する画像補正手段とを備えたことを特徴とするものである。
【０００９】
また、本発明では、画像データに対して、色相補正、彩度補正、明度補正の３つの補正処理を含む画像補正処理を施す画像補正方法において、前記画像データの色調が、セピア、モノクロ、フルカラーのいずれであるかを判定し、前記色調をフルカラーと判定した場合には、前記色相補正、彩度補正、明度補正の３つの画像補正処理を全て実行するとともに、他方、セピア又はモノクロと判定した場合には、前記３つの画像処理のうち、前記色相補正、彩度補正を禁止して、明度補正処理のみ実行することを特徴とするものである
【００１０】
【発明の実施の形態】
図１は本発明を実施したデジタルカメラ１１及びパーソナルコンピュータ（以下、ＰＣと省略する）１２の概略図を示している。デジタルカメラ１１は、撮影した被写体画像の色調をフルカラーの他にセピア、モノクロ調でメモリーカード１３に記録することができる。メモリーカード１３に記録された画像をプリントする際には、ＰＣ１２で画像補正処理を施し、ＰＣ１２に接続されたプリンタ１４によりプリントする。
【００１１】
デジタルカメラ１１は、撮影レンズ１６、ＣＣＤイメージセンサ（ＣＣＤ）１７、Ａ／Ｄ変換器１８、システムコントローラ１９、操作部２０、ＲＯＭ２３、ＲＡＭ２４、液晶表示パネル（図示せず）等から構成される。
【００１２】
撮影レンズ１６の後方に配置されたＣＣＤ１７は、図示しないレリーズボタンが押下されたときに、その受光面に結像した画像をアナログ撮像信号に変換する。このアナログ撮像信号は、Ａ／Ｄ変換器１８によりデジタルな撮影画像データに変換される。
【００１３】
システムコントローラ１９は、操作部２０からの入力信号に基づいてデジタルカメラ１１の各部を制御する。また、システムコントローラ１９は、信号処理回路２８、画像圧縮回路２９等を備えており、撮影画像データに対して各種の画像補正処理を施す。さらに、システムコントローラ１９には、メモリカード１３（メモリＩＦ及びカードスロットは図示を省略する）、ＲＯＭ２３、ＲＡＭ２４等が接続されている。
【００１４】
操作部２０は、色モード切替部材３０と、電源ボタン、レリーズボタン、ズーム操作や再生コマの切り換えに使用される十字キー等からなる操作キー３１とから構成されている。色モード切替部材３０とは、記録される撮影画像データの色調をセピア、モノクロ、フルカラーの３つの色モードから選択する色モード選択部材であり、例えばダイヤル式の選択部材などが使用される。撮影者は、色モード切替部材３０を切替えることにより、撮影した画像データを好みの色調で記録することができる。
【００１５】
ＲＯＭ２３には、各種制御用のプログラムや設定情報などが記録されている。システムコントローラ１９は、これらの情報をＲＯＭ２３から作業用メモリであるＲＡＭ２４に読み出して各種の処理を実行する。
【００１６】
Ａ／Ｄ変換器１８によりデジタル化された画像データは、ＲＡＭ２４に一旦記録される。信号処理回路２８は、ＲＡＭ２４に書き込まれた撮影画像データに対して、γ補正、ホワイトバランス補正、シャープネス補正などの各種信号処理を施す。また、信号処理回路２８は、ＲＧＢで表される撮像信号を輝度データＹと色差データＣｒ，Ｃｂとに変換するＹＣ処理を施す。この際、色モード切替部材３０により、セピアまたはモノクロの色モードが選択されている場合には、特許文献１記載の方法等により、撮影画像データの色調をセピアまたはモノクロに変換する。
【００１７】
画像圧縮回路２９は、撮影画像データに所定の圧縮形式、例えばＪＰＥＧ形式で圧縮処理を施す。周知のようにＪＰＥＧ形式で圧縮された撮影画像データは、画素がＹとＣｒ，Ｃｂとからなるピクセルデータと、ピクセルデータのコンポーネント情報やデータサイズ等が記録されたヘッダとから構成される（図２参照）。コンポーネント情報とは、ピクセルデータの構成を示す情報である。画像データがモノクロで記録された場合には、色差データＣｒ，Ｃｂは数値を持たないので、ピクセルデータは輝度データＹのみで構成される。コンポーネント情報には、こうしたピクセルデータの構成を示す情報が含まれる。圧縮処理された撮影画像データは、選択された色モードの情報と共にメモリカード１３に記録される。
【００１８】
デジタルカメラ１１に記録された撮影画像データは、例えば社団法人電子情報技術産業協会（ＪＥＩＴＡ）から発表された規格であるＥｘｉｆフォーマットの画像ファイルでメモリカード１３に記録される。Ｅｘｉｆフォーマットの画像ファイルは、図２に示すように、ＪＰＥＧ形式の撮影画像データにＥｘｉｆ  Ｔａｇデータを付加したものである。さらに、Ｅｘｉｆフォーマットには、インデックス表示等に使用するためのサムネイル画像データを含めることもできる。また、撮影画像データの形式としては、圧縮形式のＪＰＥＧ形式の他に、非圧縮のＴＩＦＦ（Ｔａｇｅｄ  Ｉｍａｇｅ  Ｆｉｌｅ  Ｆｏｒｍａｔ  ）形式を使用してもよい。
【００１９】
Ｅｘｉｆ  Ｔａｇデータには、撮影日付、シャッタ速度、絞り値、露光量、レンズＦ値、焦点距離、ストロボ発光の有無などのＥｘｉｆフォーマット規格に沿ったＥｘｉｆ固有情報と、Ｍａｋｅｒ  Ｎｏｔｅ  Ｔａｇデータとが含まれる。Ｍａｋｅｒ  Ｎｏｔｅ  Ｔａｇデータとは、各カメラメーカーが自由にメーカー固有の情報を記録できるエリアである。色モード情報は、このエリアに格納される。
【００２０】
図１に示すように、ＰＣ１２は、コントローラ３５、ストレージ３６、カードリーダ３７、プリンタポート３８等からなる。コントローラ３５は、ＣＰＵ３５ａ及びＲＯＭ、ＲＡＭ（図示は省略する）などからなり、ＰＣ１２の各部を制御する。ストレージ３６には、ＯＳ（Ｏｐｅｒａｔｉｎｇ  Ｓｙｓｔｅｍ）や、画像補正プログラムなどのアプリケーションプログラムがインストールされ、また各種のデータが記録される。ＣＰＵ３５ａは、プログラムをＲＡＭにロードして、プログラムに記述された命令に従って処理を実行する。画像補正プログラムが起動されると、ＰＣ１２は、画像補正装置として機能し、画像データに対して、少なくとも色相補正、彩度補正、明度補正の３つの補正処理を含む画像補正処理を施すことができる。
【００２１】
メモリカード１３に記録された画像ファイルはカードリーダ３７等を介してＰＣ１２に取り込まれる。もちろん、デジタルカメラ１１に設けられたＵＳＢコネクタを使用して、デジタルカメラ１１からＰＣ１２へ直接画像ファイルを転送してもよい。
【００２２】
プリンタポート３８は、プリンタ１４とのデータ通信を行うコネクタであり、例えば、パラレル通信インタフェースが使用される。プリンタ１４は、ＰＣ１２内で画像補正処理が施された処理済の画像データをプリントする。
【００２３】
画像補正プログラムは、色モード判定ステップと、判定された色モードに応じて画像補正処理を実行するステップとを含んでいる。色モード判定ステップではＣＰＵ３５ａは、画像ファイルのＥｘｉｆ  Ｔａｇデータ内に記録された色モード情報を読み取り、この色モード情報に基づいて画像の色調を識別する。画像の色調がフルカラーの場合には、ＣＰＵ３５ａは、色相補正、彩度補正、明度補正の３つの画像補正処理を全て実行する。他方、画像の色調がセピアまたはモノクロの場合には、３つの画像処理のうち、色相補正、彩度補正を禁止して、明度補正処理のみ実行する。なお、補正された画像をＰＣ１２に接続されたモニタ（図示せず）に表示し、マニュアルで補正処理条件に修正を加えてもよい。
【００２４】
次に本実施形態の作用を図３のフローチャートを用いて説明する。デジタルカメラ１１で被写体を撮影する前に、色モード切替部材３０を操作し、セピア、モノクロ、フルカラのうちのいずれかの色モードを選択する。フレーミングの後、レリーズボタンが押下されると、露出スピード及びピントが調節されて、ＣＣＤ１７によって撮像信号が取り込まれる。この撮像信号は、Ａ／Ｄ変換器１８によりデジタル変換されて、ＲＡＭ２４に書き込まれる。
【００２５】
ＲＡＭ２４に書き込まれた撮影画像データに対して、信号処理回路２８でＹＣ処理を含む各種信号処理を施す。この際、色モードがセピアまたはモノクロが選択されている場合には、撮影画像データの色モード変換処理が同時に行われる。これらの処理が完了した撮影画像データは画像圧縮回路２９でＪＰＥＧ形式の画像データに圧縮される。そして、Ｅｘｉｆ  Ｔａｇデータに、撮影条件や色モード情報が格納されて、このＥｘｉｆ  Ｔａｇデータと画像データとによって構成された画像ファイルがメモリカード１３に記録される。
【００２６】
デジタルカメラ１１によって画像ファイルが記録されたメモリカード１３は、ＰＣ１２によって画像補正処理が行われる。ＰＣ１２のオペレータは、メモリカード１３をカードリーダ３７にセットし、画像補正プログラムを起動する。画像読込指示がなされると、ＰＣ１２はメモリーカード１３に記録された画像ファイルを読み込む。オペレータは、モニタを見ながらプリントする画像を選択し、画像補正指示をする。
【００２７】
画像補正指示がなされるとＣＰＵ３５ａは、画像ファイル内のＥｘｉｆ  Ｔａｇデータから色モード情報や撮影条件等を読み取る。この際、フルカラーの色モード情報が記録されている場合には、ＣＰＵ３５ａは、色相補正、彩度補正、明度補正の３つの画像補正処理を全て実行する。他方、セピアまたはモノクロの色モード情報が記録されている場合には、３つの画像処理のうち、色相補正、彩度補正を禁止して、明度補正処理のみ実行する。これにより、撮影者の意図した色調を損なうことなく画像補正処理を実行することができる。なお、画像補正処理後の処理済の画像データは、プリント指示がなされるとプリンタポート３８を介してプリンタ１４に出力され、プリントされる。
【００２８】
また、本実施形態では、色モード情報をＥｘｉｆ  Ｔａｇデータに記録することにより撮影画像データの色調を判別したが、その代わりに撮影画像データのヘッダ内に記録されているコンポーネント情報やピクセルデータそのものから撮影画像データの色調を判別してもよい。コンポーネント情報は、上述したように、輝度データＹと色差データＣｒ，Ｃｂとからなるピクセルデータの構成を示す情報である。これに基づいて、画像の色調がモノクロか、それ以外かを判定することができる。また、ピクセルデータから色調を判定する場合には、ピクセルデータを調べることによって、色の傾向が分かるので、その傾向に応じて色調を判定することができる。
【００２９】
【発明の効果】
以上のように、本発明のデジタルカメラは、撮影した画像データをセピア、モノクロ、フルカラーの３種類の色調でそれぞれ記録する３つの色モードを備え、これら色モードを選択的に切替える色モード選択手段を備えたデジタルカメラにおいて、前記色モード選択手段によって選択された色モードを表す色モード情報を前記画像データと共に記録するようにしたから、撮影した画像データを、選択された色モード情報と共に記録することができる。
【００３０】
本発明の画像補正装置及び方法は、画像データに対して、色相補正、彩度補正、明度補正の３つの補正処理を含む画像補正処理を施す画像補正装置及び方法において、前記画像データの色調が、セピア、モノクロ、フルカラーのいずれであるかを判定し、前記色調をフルカラーと判定した場合には、前記色相補正、彩度補正、明度補正の３つの画像補正処理を全て実行するとともに、他方、セピア又はモノクロと判定した場合には、明度補正処理のみ実行するようにしたから、撮影画像データの色調に応じた画像補正処理を実行することが可能となる。これにより、従来、全てマニュアルで指定して実行していたセピアまたはモノクロ調の画像データの画像補正処理が自動化され、効率的に画像補正処理を行うことができる。
【図面の簡単な説明】
【図１】本発明を実施したデジタルカメラ及びＰＣを示す概略図である。
【図２】同デジタルカメラに撮影された画像を記録するメモリカードのファイル構造を示す概略図である。
【図３】同デジタルカメラ及びＰＣによる画像データの記録及び画像補正処理の手順を示すフローチャートである。
【符号の説明】
１１  デジタルカメラ
１２  ＰＣ
１３  メモリカード
１４  プリンタ
２８  信号処理回路
２９  画像圧縮回路
３０  色モード切替部材
【図１】
2004336386.tif 000003
【図２】
2004336386.tif 000004
【図３】
2004336386.tif 000005